(57)【要約】【課題】表示装置へのいたずらや、接近して設置された表示装置同士の間で発生するリモコンの誤操作を防ぐために、リモコン操作の受け付けを無効にするようロックできるようにした表示装置において、表示装置の管理者以外によるロック解除を防ぎ、また、ロックとロック解除を切り替える為のパスワード入力を安全かつ確実に行える表示装置を提供する。【解決手段】個々に固有情報を持つ外部の電子機器のその固有情報を表示装置のパスワードとして予め登録する。以降、パスワードとして登録した固有情報を持つ電子機器が接続されたときリモコン等の入力装置による入力操作を行うことができるようにする。また、表示装置に接続する電子機器として携帯電話機器を利用し、個々の固有情報である電話番号を表示装置のパスワードとして設定する。【選択図】図１
2005195763.tif 000002
【特許請求の範囲】
【請求項１】
複数の発光素子を選択的に点滅駆動することで文字や画像等を発光表示する表示装置において、
表示装置に関する各種設定操作を行う入力装置と、
表示装置に関する各種データを記憶する記憶部と、
外部の電子機器を表示装置に接続する通信インターフェースと、
通信インターフェースを介して表示装置に接続した電子機器から、電子機器ごとに個別に登録された固有情報を読み込む機能と、
前記電子機器から読み込んだ固有情報と前記記憶部に記憶しているデータとを照合する機能とを備え、
表示装置に接続する電子機器の固有情報を表示装置のパスワードとして予め記憶部に記憶し、記憶したパスワードと一致した固有情報を持つ電子機器が接続されたとき、前記入力装置による入力操作を可能にすることを特徴とする表示装置。
【請求項２】
請求項１記載の表示装置において、各種設定操作を行うための前記入力装置がリモコン等のワイヤレス入力装置であることを特徴とする表示装置。
【請求項３】
請求項１または２何れか記載の表示装置において、表示装置に接続する外部の電子機器が携帯電話機器であり、携帯電話機器ごとに固有情報として記憶している自己の電話番号を表示装置のパスワードとして予め記憶部に記憶し、記憶したパスワードと一致した電話番号を持つ携帯電話機器が接続されたとき、前記入力装置による入力操作を可能にすることを特徴とする表示装置。
【請求項４】
請求項１乃至３何れか記載の表示装置において、前記記憶部は複数の記憶領域を備え、前記電子機器に関する複数種類の固有情報を表示装置のパスワードとして複数種類記憶し、記憶したパスワードと一致した固有情報を持つ電子機器が接続されたとき、前記入力装置による入力操作を可能にすることを特徴とする表示装置。
【発明の詳細な説明】
【技術分野】
【０００１】
本発明は、複数の発光素子をプリント基板上に配し、各発光素子を選択的に発光させることで文字、図形、記号、模様等を表示する装置に関する。
【背景技術】
【０００２】
従来、ＬＥＤ等の発光素子をプリント基板上に配置し、選択的に点滅駆動することで文字・画像等を発光表示する電光表示装置が知られている。それら装置の多くは、店先や往来といった人通りのある場所に設置され、営業案内や集客のためのキャッチフレーズを発光表示するのに利用されている。
【発明の開示】
【発明が解決しようとする課題】
【０００３】
近年はこの種の電光表示装置の普及も進み、狭い範囲に同一機種の装置が複数台設置されることも珍しくなく、互換性を持つリモコンを操作して装置の設定内容を変更してしまうといった悪戯が懸念されている。表示装置に信号ケーブルを接続することなく、ワイヤレスリモコンによる遠隔操作でカレンダー設定、時刻設定、表示チャンネルの切り換え、表示コンテンツの書き替え等が可能であり、また、同一機種の装置では共通のリモコンが使用可能であることから、互換性のあるリモコンを持つ者であれば比較的容易にいたずらが可能なのである。また、リモコンの通信有効範囲内に複数台の表示装置があった場合、操作対象としていない表示装置までリモコン操作に反応してしまうことがあり、その場合は、いたずら目的ではないものの、変更する必要のない表示装置の設定内容を偶然に変更してしまうといったこともあった。
【０００４】
このような問題に対処するため、装置に機能的なロックをかけられるようにし、ロックされている場合は特定の操作を除いてリモコン操作を受け付けないようにする対策が考えられ、ロック／アンロックの切り換えにパスワードの入力を必要とする装置がある。しかし、そのような装置も次のような問題を抱えていた。ひとつは、単純なパスワードを設定しがちで、見破られやすいという点である。普段から頻繁に使用するパスワードではないため、表示装置の機種名や型番などをパスワードにしがちで、比較的容易に見破られてしまう場合がある。ふたつめは、パスワードを忘れた場合の対処が面倒であるという点である。これらと同様の課題に対処してなされたものに下記先行技術などがあるが、この先行技術においても、ひとつめの問題点としてあげた、単純なパスワードを設定しがちで見破られやすいという点は依然として解決できていなかった。
【特許文献１】特開２０００−８９７２６号
【０００５】
本発明は上記のような問題点を解決することを課題としており、表示装置へのいたずらや、接近して設置された表示装置同士の間で発生するリモコンの誤操作を防ぐために、リモコン操作の受付を無効にするようロックできるようにした表示装置において、表示装置の管理者以外によるロック解除（アンロック）を防ぎ、また、ロックとアンロックを切り換える為のパスワード入力を毎回確実に行える表示装置を提供することを目的としている。
【課題を解決するための手段】
【０００６】
本発明は、上記課題を解決するために、（１）複数の発光素子を選択的に点滅駆動することで文字や画像等を発光表示する表示装置において、表示装置に関する各種設定操作を行う入力装置と、表示装置に関する各種データを記憶する記憶部と、外部の電子機器を表示装置に接続する通信インターフェースと、通信インターフェースを介して表示装置に接続した電子機器から、電子機器ごとに個別に登録された固有情報を読み込む機能と、前記電子機器から読み込んだ固有情報と前記記憶部に記憶しているデータとを照合する機能とを備え、表示装置に接続する電子機器の固有情報を表示装置のパスワードとして予め記憶部に記憶し、記憶したパスワードと一致した固有情報を持つ電子機器が接続されたとき、前記入力装置による入力操作を可能にすることを特徴とする表示装置を提案する。
【０００７】
また、（２）上記表示装置の各種設定操作を行うための入力装置は、リモコン等のワイヤレス入力装置であることが望ましい。
【０００８】
また、（３）表示装置に接続する外部の電子機器が携帯電話機器であり、携帯電話機器ごとに固有情報として記憶している自己の電話番号を表示装置のパスワードとして予め記憶部に記憶し、記憶したパスワードと一致した電話番号を持つ携帯電話機器が接続されたとき、前記入力装置による入力操作を可能にすることが望ましい。
【０００９】
また、（４）前記記憶部は複数の記憶領域を備え、前記電子機器に関する複数種類の固有情報を表示装置のパスワードとして複数種類記憶し、記憶したパスワードと一致した固有情報を持つ電子機器が接続されたとき、前記入力装置による入力操作を可能にすることが望ましい。
【発明の効果】
【００１０】
本発明の表示装置は、１台１台に固有情報を持つ外部の電子機器のその固有情報を表示装置のパスワードとして登録する。そして、パスワードとして登録した固有情報を持つ電子機器が接続されたとき入力装置による入力操作を行うことができるようにしている。したがって、入力装置による操作を有効にするため表示装置にパスワードを入力する際に、記憶しているパスワードを都度マニュアル操作で入力する必要がなくなり、普段から持ち歩く類の電子機器を表示装置に接続するだけでパスワードの入力を行うことができる。また、簡単にパスワードを見破られる虞がなくなると共に、パスワード忘れにより面倒な復旧作業に手間を費やされるといった事態を防ぐことができる。
【００１１】
また、表示装置の各種設定操作を行うための入力装置がワイヤレスリモコンであり、表示装置と別体の電子機器として携帯電話機器を採用する。したがって、携帯電話機器ごとに付与されている電話番号を読み出して表示装置のパスワードに設定することができ、また、携帯電話機器を表示装置に接続することでパスワードの照合を行うことができる。パスワード照合の為の電子機器を常時持ち歩く携帯電話機器とするとで、表示装置をメンテナンスする際に機器自体を携帯し忘れるといった事態を極力防ぐことができる。
【００１２】
また、異なる携帯電話機器から読み出した複数の電話番号をパスワードとして登録することができ、１台の表示装置を複数の管理者でメンテナンスすることができる。
【実施例】
【００１３】
本技術に関わるシステムの全体構成を図１に示す。１は表示部で、プリント基板上に複数のＬＥＤをドットマトリクス状に配列して構成している。この表示部１には複数の文字を表示することが可能であり、本実施例では、１６×１６ドットのマトリクスで表される全角サイズの文字が横方向に３文字、縦方向に２文字、合計６文字表示可能なように４８×３２ドットでマトリクスを構成した例を示している。２は表示駆動部であり、シフトレジスタ回路およびラッチ回路等からなり、後述する制御部より表示制御データを受けて表示部１に配列したＬＥＤをダイナミック点灯駆動し、マトリクス上に文字や図形・記号等を発光表示する。
【００１４】
３はＣＰＵで、メモリ４で記憶するプログラムに従い表示処理手順をこなす。メモリ４は、表示装置全体の動きに関する動作プログラムが記憶されたＲＯＭ４ａと、コードに置き換えられた文字・絵記号がドットパターンで記憶されるフォントＲＯＭ４ｂと、表示部１に表示する表示データを複数記憶する表示データ記憶部４ｃと、表示データの表示タイミングを規定する表示スケジュールデータと表示装置に関する各種設定データを記憶するデータ記憶部４ｄとからなっている。
【００１５】
表示データ記憶部４ｃに記憶される１つ１つの表示データは、単独あるいは一連で表示させる文字・絵記号・単語・文章で構成されており、表示データ番号が付与されてこの表示データ番号と対応付けて記憶される。また、各表示データには、それをどのような動きで表示するのかを与える表示モード情報が付与される。表示モードには、スクロール、反転表示、スピン表示といった公知の表示動作が複数用意されており、表示データを作成する際に表示する内容に合わせて複数のモードを組み合わせて設定することができる。各表示データの中身は、文字・絵記号・画像を組み合わせることによって装置を購入したユーザーが任意に作成可能であるが、最初から既に表示データ記憶部４ｃに登録されている表示データもある。例えば、「書店」「理容店」といった各種業種に合わせ、簡単なアニメーションやキャッチコピーを組み合わせて簡潔で訴求性のあるデモンストレーション表示が行えるようにされたもので、装置を購入したユーザーが自分の業種にあわせてそのまま使用できるよう考慮され作成されている。
【００１６】
表示データ記憶部４ｃに記憶された表示データを表示するには、各表示データに表示スケジュールデータを与える必要がある。最も簡単にスケジュールデータを与えるには、表示データの表示データ番号を指定して表示させたい順番にデータ記憶部４ｄへ記憶させればよい。これにより、希望する順番で選択した表示データを連続して表示させることができる。また、選択した表示データを指定する日付もしくは時刻になると自動的に表示させるよう設定することもできる。各表示データに対して表示させたい日付・時刻を表示スケジュールデータとして付与し、データ記憶部４ｄに記憶させるようにする。
【００１７】
データ記憶部４ｄには、スケジュールデータの他にも表示装置に関する各種の設定データが記憶されている。各種設定データとは、１日の中で表示装置の可動時間帯を指定する営業時間の設定、表示装置を終日稼働させない日を指定する休日の設定、表示データを発光表示する際の発光輝度の設定、これら設定内容を変更したり上記表示データ・スケジュールデータ等を編集するにあたってまず最初に入力するパスワードの設定、などに関するデータである。
【００１８】
５はＶＲＡＭで、メモリ４から読み出した表示データをその記憶領域にビット情報として展開し表示駆動部２にＬＥＤ駆動信号として出力する。６はリアルタイムクロックＩＣで、ＣＰＵ３から任意のタイミングで要求を受け、現在時刻と年・日付・曜日を出力する。７は入力装置たるリモコンで、表示部１の表示画面付近に設けられたリモコン受信部７ａ、リモコンインターフェース７ｂを介して表示装置と通信を行い、リモコン操作に伴い表示部１に表示されるメニューに従って表示データの作成や変更、あるいは表示スケジュールデータの設定やその他各種データ設定を行うことができる。８はメモリーカードで、ＰＣカードインターフェース８ａを介して着脱され、外部のパソコン等で作成した表示データや表示スケジュール、各種データをメモリ４に転送するための記憶媒体として用いられる。９は電子機器たる携帯電話機器で、通信インターフェース９ａを介して表示装置に接続される。この場合の携帯電話機器とはＰＨＳ等を含み、それぞれ個別に付与されている自己の電話番号を外部へ出力する機能を備えており、通信インターフェース９ａを介して表示装置側より問い合わせを受け、電話番号を通知する。
【００１９】
なお、上記データ記憶部４ｄに記憶するパスワードは複数登録することができる。図２に示すように、パスワードを記憶する領域は複数用意されており、本実施例では３つの記憶領域にそれぞれ異なる３種類のパスワードを記憶できるようにしている。パスワードには携帯電話の電話番号を登録することが可能で、表示装置の管理者が携帯し上記通信インターフェース９ａを介して接続する携帯電話の番号を登録できるようにしている。登録したパスワードはリモコン操作を有効にするか無効にするかの切り換えを行う際に必要になるもので、表示部１において通常の表示を行っている状態から、表示装置に関する各種の設定を行う状態へ移行する際に、まずはじめに、表示装置がリモコン操作を受け付けるようリモコン操作を有効に切り換える必要があり、その際に、予め登録してあるパスワードと同じパスワードを入力した後に切り換えが行えるようにしている。リモコン操作を無効にしてある場合は、特定の操作以外はリモコン操作を受け付けないようにロックされる。
【００２０】
次に、図３のフローチャートを基にパスワード設定とパスワード入力の動作について説明する。まず、通常の表示を行っている状態において、リモコン受光部７ａに向かってリモコン７に配置された「機能キー」（図示しない）を押す（Ｓ１）。この「機能キー」は、リモコン操作が無効に設定されている場合でも受け付けられるキーであり、このキー操作を受けると、制御部３はリモコン操作が有効に設定されているか、あるいは無効に設定されているかを判断する（Ｓ２）。リモコン操作が有効（アンロック状態）の場合は、表示部１の表示状態を通常の表示画面から機能設定メニューの画面に切り換える（Ｓ３）。この機能設定メニューには表示装置に関する種々の設定項目が用意されており、リモコン上の「カーソル移動キー」（図示しない）を操作して、設定メニューにある「パスワード設定」の項目を選択し、「決定キー」（図示しない）を押す（Ｓ４）。「決定キー」押下に伴い、表示画面はパスワードの入力を促す画面に切り替わり、１１桁のパスワードを入力することが可能になる。パスワードとして表示装置の管理者が携帯する携帯電話の電話番号を「テンキー」で入力し（Ｓ５）、「決定キー」を押すとパスワードとして登録することができる（Ｓ７）。その際、パスワードは全部で３種類まで登録することが可能であり、既に３種類登録されている場合には、登録されている内のいずれかを削除して新たに登録するか、あるいは、登録されているパスワードを残して新たなパスワードの登録を中止するかを選択することができる（Ｓ６）。パスワードの登録が完了すると、次にリモコン操作の有効／無効を切り換える（Ｓ８）。リモコンの「カーソル移動キー」を操作して画面に表示された有効または無効のいずれかを選択し、「決定キー」を押して確定する。ここでリモコン操作を無効に設定すると、以降、パスワードを入力してリモコン操作を有効に切り替えない限り、リモコン操作を行うことができないようにすることができる。一方、リモコン操作を有効に設定すると、パスワードを入力することなく常にリモコン操作を行うことができるようにすることができる。
【００２１】
次に、パスワード入力の動作について説明する。図３の（Ｓ２）において、リモコン操作が無効に設定されていた場合、表示装置の各種設定内容を変更するためには、パスワードを入力しリモコン操作を有効へと切り替える必要がある。（Ｓ２）において、リモコン操作が無効に設定されていると、表示画面にはパスワード入力メニューが表示される（Ｓ２１）。パスワードとして登録されている電話番号を持つ携帯電話９を、コネクタケーブルを用いて表示装置の通信インターフェース９ａに接続する（Ｓ２２）。パスワード入力メニューには、「携帯電話からの番号読み込み」と「マニュアル操作入力」とを選択することができる（Ｓ２３）。リモコンの「カーソル移動キー」を操作して「携帯電話からの番号読み込み」を選択し「決定キー」を押すと、表示装置側から接続された携帯電話９に対して電話番号の問い合わせが行われ、電話番号の読み込みが開始される（Ｓ２４）。通信上エラー等が発生することなく、番号の読み込みが正常に終了すると（Ｓ２５）、次に、読み込んだ電話番号と、表示装置側に登録されているパスワードとを照合する（Ｓ２６）。読み込んだ電話番号が登録済みのパスワードと一致したら（Ｓ２７）正しいパスワードが入力されたと判断し、表示画面にはリモコンの有効／無効の切り換えを行う画面が表示される（Ｓ２８）。リモコンの「カーソル移動キー」と「決定キー」とを操作してリモコン操作を有効に切り替えると（Ｓ２９）、表示画面は機能設定メニューの画面に切り替わり（Ｓ３０）、リモコン操作も可能となって表示装置に関する種々の設定を行うことが可能になる。なおこの時、リモコン操作を有効に切り替えてから所定時間（例えば１０分間）リモコン操作が行われなかった場合は、自動的にリモコン操作を無効に戻すようにしている。ところで（Ｓ２３）において「マニュアル操作入力」を選択した場合は、リモコンの「テンキー」によってパスワードを手動で入力することもできる。また（Ｓ２５）において、携帯電話９からの電話番号読み込みに失敗した場合は、画面に所定時間「電話番号読み込みＮＧ」を表示した後、通常の表示状態へ復帰させる。同様に（Ｓ２７）において、読み込んだ番号が登録されたパスワードと一致しなかった場合は、画面に「パスワードＮＧ」の表示を所定時間行った後、通常の表示状態へ復帰させる。
【産業上の利用可能性】
【００２２】
表示装置に接続する外部の電子機器として、携帯電話機器だけでなく、いわゆるＰＤＡ（Personal  Digital  Assistants：情報携帯端末）を用いることができる。要は、個別に付与された固有情報を持ち、またその固有情報を通信によって出力可能な端末機器であれば良く、固有情報も電話番号に限定される必要はない。また上記実施例では、データ記憶部４ｄに記憶するパスワードを３種類としているが、パスワードの記憶領域を適宜増減することにより、記憶できるパスワードの数も適宜設定することができる。
【図面の簡単な説明】
【００２３】
【図１】本発明の全体構成を示す説明図である。
【図２】データ記憶部４ｄのパスワード記憶領域に関する説明図である。
【図３】パスワード設定とパスワード入力の動作を示すフローチャート図である。
【符号の説明】
【００２４】
１    表示部
２    表示駆動部
３    ＣＰＵ
４    メモリ
４ａ  ＲＯＭ
４ｂ  フォントＲＯＭ
４ｃ  表示データ記憶部
４ｄ  データ記憶部
７    入力装置たるリモコン
７ａ  リモコン受光部
７ｂ  リモコンインターフェース
９  電子機器たる携帯電話機器
９ａ  通信インターフェース
【図１】
2005195763.tif 000003
【図２】
2005195763.tif 000004
【図３】
2005195763.tif 000005